(57)【要約】【課題】装置に備えられている現像剤のうちの少なくとも２つの現像剤の色の混色である地紋が形成された原稿を複写する場合の現像剤の消費量を抑制する技術を提案する。【解決手段】画像形成制御部は、複合機が自動カラー判定モードに設定されていると判断すると（♯１でＹＥＳ）、地紋処理部により地紋が検出されたか否かを判断する（♯３）。画像形成制御部は、地紋処理部により地紋が検出された場合（♯３でＹＥＳ）、その地紋が有彩色の地紋であれば（♯４でＹＥＳ）、画像形成部にモノクロの画像形成動作を実施させる（♯５）。一方、画像形成制御部は、地紋が検出されなかった場合と（♯３でＮＯ）、地紋がモノクロの地紋であると判断した場合とには（♯４でＮＯ）、ＡＣＳ処理部による判定結果に応じた画像形成動作を画像形成部に実施させる（♯６）。【選択図】図１０
2010206782.tif 000002
【特許請求の範囲】
【請求項１】
原稿の画像を読み取る画像読取部と、
前記画像読取部の読取動作により得られた画像データに基づき、原稿に地紋が形成されているか否かを検出する地紋検出部と、
複数の現像剤を有し、前記画像データに基づき、それらの現像剤のうち１又は複数の現像剤を用いて記録媒体に画像を形成する画像形成部と、
前記地紋検出部により地紋が検出されると、該地紋に係る画像形成動作として単一の現像剤を用いたモノクロの画像形成動作を前記画像形成部に行わせる画像形成制御部と
を備える画像形成装置。
【請求項２】
前記原稿が少なくとも１つの有彩色を含む色の画像を有するカラー原稿であるか否かを前記画像データに基づいて判定する第１判定部を更に備え、
前記画像形成制御部は、前記第１判定部により前記原稿が前記カラー原稿であると判定された場合には、前記画像読取部によって読み取られた原稿の画像について、カラーの画像形成動作を前記画像形成部に行わせ、
前記地紋検出部は、前記地紋を検出するとともに、該地紋を検出したときにその地紋の色を前記画像データに基づいて検出するものであり、
更に、前記画像形成制御部は、前記地紋検出部により検出された地紋の色が、前記各現像剤のうち少なくとも２つの現像剤の色の混色であるときは、前記第１判定部により前記原稿が前記カラー原稿であると判定されたか否かに拘らず、該原稿の画像全体に係る画像形成動作として前記モノクロの画像形成動作を前記画像形成部に行わせる請求項１に記載の画像形成装置。
【請求項３】
前記画像読取部は、前記原稿の画像を予め定められた表色系に用いられる複数の色成分の画像データとして読み取るものであり、
前記地紋検出部は、前記画像読取部の読取動作により得られた画像データに基づき前記表色系に用いられる各色成分の地紋に係る画像データの有無をそれぞれ検出するとともに、地紋に係る画像データを検出した色成分の組み合わせパターンに基づいて、前記原稿に形成されている地紋の色を検出する請求項２に記載の画像形成装置。
【請求項４】
前記原稿が少なくとも１つの有彩色を含む色の画像を有するカラー原稿であるか否かを前記画像読取部によって読み取られた原稿の画像に基づいて判定する第２判定部を更に備え、
前記画像形成制御部は、前記第２判定部により前記原稿が前記カラー原稿であると判定された場合には、前記画像読取部によって読み取られた原稿の画像について、カラーの画像形成動作を前記画像形成部に行わせ、
前記画像形成制御部は、前記地紋検出部により前記地紋が検出されたときには、前記第２判定部により前記原稿が前記カラー原稿であると判定されたか否かに拘らず、該原稿の画像全体に係る画像形成動作として前記モノクロの画像形成動作を前記画像形成部に行わせる請求項１に記載の画像形成装置。
【請求項５】
前記画像形成部による通常の画像形成動作を行う通常画像形成モードと、前記通常画像形成モードに比して同一の画像データに基づく画像形成動作に要する現像剤の消費量を抑制する現像剤抑制モードとを択一的に設定するモード設定部を更に備え、
前記地紋検出部は、前記地紋を検出するとともに、該地紋を検出したときにその地紋の色を前記画像データに基づいて検出するものであり、
前記画像形成制御部は、前記モード設定部により前記現像剤抑制モードが設定されている場合において、前記地紋検出部により検出された地紋の色が、前記各現像剤のうち少なくとも２つの現像剤の色の混色であるときに、該原稿の画像全体に係る画像形成動作として前記モノクロの画像形成動作を前記画像形成部に行わせる請求項１に記載の画像形成装置。
【請求項６】
前記画像読取部は、前記原稿の画像を予め定められた表色系に用いられる複数の色成分の画像データとして読み取るものであり、
前記地紋検出部は、前記画像読取部の読取動作により得られた画像データに基づき前記表色系に用いられる各色成分の地紋に係る画像データの有無をそれぞれ検出するとともに、地紋に係る画像データを検出した色成分の組み合わせパターンに基づいて前記地紋の色を検出する請求項５に記載の画像形成装置。
【請求項７】
前記画像形成部による通常の画像形成動作を行う通常画像形成モードと、前記通常画像形成モードに比して同一の画像データに基づく画像形成動作に要する現像剤の消費量を抑制する現像剤抑制モードとを択一的に設定するモード設定部を更に備え、
前記画像形成制御部は、前記モード設定部により前記現像剤抑制モードが設定されている場合において、前記地紋検出部により前記地紋が検出されたときには、該原稿の画像全体に係る画像形成動作として前記モノクロの画像形成動作を前記画像形成部に行わせる請求項１に記載の画像形成装置。
【発明の詳細な説明】
【技術分野】
【０００１】
本発明は、画像形成装置の技術分野に属し、特に、原稿に地紋が形成されている場合の処理に関するものである。
【背景技術】
【０００２】
従来、例えば企業等の機密情報を含んだ資料のデータ等、秘密状態にしておく必要のある秘密文書の複写や複製、或いは複写物の利用を防止又は抑止する技術が種々提案されている。その技術の一つとして、或るスクリーン線数で形成された背景部と、線数（網点の密度）が前記スクリーン線数より高いスクリーン線数で形成された潜像部とを有する地紋を原稿画像に埋め込む地紋印刷技術がある。
【０００３】
この地紋印刷技術を用いて作成された原稿画像が複写されると、その複写物には、前記原稿画像の前記潜像部に対応する領域が白抜き状態となることで、例えば「複写禁止」などの模様が視覚的に浮かび上がって見えるようになっている（例えば下記特許文献１参照）。これにより、原稿の複写を心理的に規制させたり抑制させたりすることができる。
【０００４】
一方、前記地紋印刷技術とは別に、下記特許文献２のように、原稿の画像を読取り、該読取動作により得られた画像データに含まれる背景画像に埋め込まれた特殊ドットパターンを検出し、検出した特殊ドットパターンと予め記憶している特殊ドットパターンとを比較して、両者が一致すると用紙への画像形成動作を禁止する技術が広く知られている。
【０００５】
さらに、下記特許文献３には、「“通常コピーモード”においては、画像読取部１０により読み取った原稿画像に禁複製コードを示すパターン画像が含まれている場合、それを複製禁止情報検出部２２が検知することで複製動作を禁止することができる。一方、禁複製コードを示すパターン画像が含まれていない場合には、読み取った画像を用紙上にプリント出力することができる、通常の複製動作が可能である（［０１０２］）」，「条件コピーモード”においては、画像読取部１０により読み取った原稿画像に条件コードを示すパターン画像が含まれている場合、それを条件情報検出部２４が検知することで、予め登録されている所定条件に合致する場合に限って複製動作を許容することができる。一方、条件コードを示すパターン画像が含まれていない場合には、読み取った画像を用紙上にプリント出力することができるので、通常の複製動作が可能である（［０１１０］）」と記載されている。
【先行技術文献】
【特許文献】
【０００６】
【特許文献１】特開２００１−１９７２９７号公報
【特許文献２】特開２００４−２７４０９２号公報
【特許文献３】特開２００３−２８０４６９号公報
【発明の概要】
【発明が解決しようとする課題】
【０００７】
ところで、近年では、原稿に形成する地紋として有彩色の地紋を形成する技術が知られており、この技術を用いて原稿に有彩色の地紋が形成されている場合がある。ここで、この種の原稿の複写を行う場合に、現像剤（トナー）の消費量を低減する余地があった。
【０００８】
例えば、原稿が有彩色を含む複数の色の現像剤を用いて画像が形成されたカラーの原稿であるのか黒色の現像剤のみを用いて画像が形成されたモノクロの原稿であるのかを検出する自動カラー判別機能を搭載する画像形成装置がある。
【０００９】
このような画像形成装置においては、前記自動カラー判別機能によりカラー判別を行った場合に、原稿に形成される文字とか記号などのテキストや写真等がモノクロ（例えば黒色）で表現されていても、原稿に形成されている地紋の色がテキストや写真等の色と異なる色であるときには、画像形成装置はその原稿をカラーの原稿と認識する場合が生じ得る。
【００１０】
ここで、地紋は、原稿の複写を心理的に規制させたり抑制させたりするためのものであって、重要な情報は前記テキスト等である。したがって、このテキスト等がモノクロで表現されている以上、地紋の色が、装置に備えられている現像剤のうちの少なくとも２つの現像剤の色の混色である場合に、その地紋の複写を複数の現像剤を使って行うことの意義は小さい。それにも拘らず、従来では、複数の現像剤を使って地紋を複写していた。
【００１１】
一般的に、同一の画像を形成する場合に、単一の現像剤のみを用いて画像を形成する場合と複数の現像剤を用いて画像を形成する場合とでは、後者の方が現像剤の総消費量が大きい。
【００１２】
以上のことから、少なくとも２つの現像剤の色の混色である地紋の複写を複数の現像剤を使って行うことは、現像剤の浪費となり、ここに現像剤の消費量を低減する余地があった。
【００１３】
また、画像形成動作に係る動作モードとして、同一の画像データの画像形成動作に要する現像剤の消費量を通常の画像形成モードよりも抑制して画像形成動作を実施する現像剤抑制モードを備えた画像形成装置がある。
【００１４】
この現像剤抑制モードが設定されているときには、ユーザは現像剤の使用量を抑制したい意向を有しているから、少なくともテキスト等がモノクロで表現されている場合に、複数の現像剤を使って地紋を複写することは、好ましい処理であるとは言えない。
【００１５】
なお、このような課題に対する解決手段は前述した各特許文献１〜３には開示されていない。
【００１６】
本発明は、上述した問題点を解決するためになされたものであり、装置に備えられている現像剤のうちの少なくとも２つの現像剤の色の混色である地紋が形成された原稿を複写する場合の現像剤の消費量を抑制することのできる画像形成装置を提案することを目的とする。
【課題を解決するための手段】
【００１７】
本発明の請求項１に記載の発明は、原稿の画像を読み取る画像読取部と、
前記画像読取部の読取動作により得られた画像データに基づき、原稿に地紋が形成されているか否かを検出する地紋検出部と、
複数の現像剤を有し、前記画像データに基づき、それらの現像剤のうち１又は複数の現像剤を用いて記録媒体に画像を形成する画像形成部と、
前記地紋検出部により地紋が検出されると、該地紋に係る画像形成動作として単一の現像剤を用いたモノクロの画像形成動作を前記画像形成部に行わせる画像形成制御部と
を備える画像形成装置である。
【００１８】
この発明によれば、前記地紋検出部により地紋が検出されると、該地紋に係る画像形成動作として単一の現像剤を用いたモノクロの画像形成動作を前記画像形成部に行わせるようにしたので、前記地紋を複数の現像剤を用いた画像形成動作で形成する場合に比して、使用する現像剤の種類の数を抑制することができ、その結果、現像剤の浪費を防止又は抑制することができる。
【００１９】
また、請求項２に記載の発明によれば、請求項１に記載の画像形成装置であって、前記原稿が少なくとも１つの有彩色を含む色の画像を有するカラー原稿であるか否かを前記画像データに基づいて判定する第１判定部を更に備え、
前記画像形成制御部は、前記第１判定部により前記原稿が前記カラー原稿であると判定された場合には、前記画像読取部によって読み取られた原稿の画像について、カラーの画像形成動作を前記画像形成部に行わせ、
前記地紋検出部は、前記地紋を検出するとともに、該地紋を検出したときにその地紋の色を前記画像データに基づいて検出するものであり、
更に、前記画像形成制御部は、前記地紋検出部により検出された地紋の色が、前記各現像剤のうち少なくとも２つの現像剤の色の混色であるときは、前記第１判定部により前記原稿が前記カラー原稿であると判定されたか否かに拘らず、該原稿の画像全体に係る画像形成動作として前記モノクロの画像形成動作を前記画像形成部に行わせるものである。
【００２０】
この発明によれば、前記地紋検出部により検出された地紋の色が、前記各現像剤のうち少なくとも２つの現像剤の色の混色であるときにのみ、前記第１判定部により前記原稿が前記カラー原稿であると判定されたか否かに拘らず、該原稿の画像全体に係る画像形成動作として前記モノクロの画像形成動作を前記画像形成部に行わせるようにしたので、前記第１判定部により前記原稿が前記カラー原稿であると判定された場合に、該原稿の画像全体に係る画像形成動作として複数の現像剤を用いた画像形成動作を前記画像形成部に実施させる構成に比して、使用する現像剤の種類の数を抑制できる場合が生じ、現像剤の浪費を防止又は抑制することができる。
【００２１】
また、請求項３に記載の発明によれば、請求項２に記載の画像形成装置であって、前記画像読取部は、前記原稿の画像を予め定められた表色系に用いられる複数の色成分の画像データとして読み取るものであり、
前記地紋検出部は、前記画像読取部の読取動作により得られた画像データに基づき前記表色系に用いられる各色成分の地紋に係る画像データの有無をそれぞれ検出するとともに、地紋に係る画像データを検出した色成分の組み合わせパターンに基づいて、前記原稿に形成されている地紋の色を検出するものである。
【００２２】
この発明によれば、比較的簡単な方法で地紋の色を検出することができる。
【００２３】
また、請求項４に記載の発明によれば、請求項１に記載の画像形成装置であって、前記原稿が少なくとも１つの有彩色を含む色の画像を有するカラー原稿であるか否かを前記画像読取部によって読み取られた原稿の画像に基づいて判定する第２判定部を更に備え、
前記画像形成制御部は、前記第２判定部により前記原稿が前記カラー原稿であると判定された場合には、前記画像読取部によって読み取られた原稿の画像について、カラーの画像形成動作を前記画像形成部に行わせ、
前記画像形成制御部は、前記地紋検出部により前記地紋が検出されたときには、前記第２判定部により前記原稿が前記カラー原稿であると判定されたか否かに拘らず、該原稿の画像全体に係る画像形成動作として前記モノクロの画像形成動作を前記画像形成部に行わせるものである。
【００２４】
この発明によれば、前記地紋検出部により前記地紋が検出されたときには、前記第２判定部により前記原稿が前記カラー原稿であると判定されたか否かに拘らず、該原稿の画像全体に係る画像形成動作として前記モノクロの画像形成動作を前記画像形成部に行わせるようにしたので、前記原稿がカラー原稿である場合に、該原稿の画像全体に係る画像形成動作として複数の現像剤を用いた画像形成動作を前記画像形成部に実施させる場合に比して使用する現像剤の種類の数を抑制できる場合が生じ、現像剤の浪費を防止又は抑制することができる。
【００２５】
また、請求項５に記載の発明によれば、請求項１に記載の画像形成装置であって、前記画像形成部による通常の画像形成動作を行う通常画像形成モードと、前記通常画像形成モードに比して同一の画像データに基づく画像形成動作に要する現像剤の消費量を抑制する現像剤抑制モードとを択一的に設定するモード設定部を更に備え、
前記地紋検出部は、前記地紋を検出するとともに、該地紋を検出したときにその地紋の色を前記画像データに基づいて検出するものであり、
前記画像形成制御部は、前記モード設定部により前記現像剤抑制モードが設定されている場合において、前記地紋検出部により検出された地紋の色が、前記各現像剤のうち少なくとも２つの現像剤の色の混色であるときに、該原稿の画像全体に係る画像形成動作として前記モノクロの画像形成動作を前記画像形成部に行わせるものである。
【００２６】
この発明によれば、前記現像剤抑制モードが設定されている場合において、地紋の色が前記各現像剤のうち少なくとも２つの現像剤の色の混色であるときに、該原稿の画像全体に係る画像形成動作として前記モノクロの画像形成動作を前記画像形成部に行わせるようにしたので、地紋に係る画像形成動作として単一の現像剤を用いたモノクロの画像形成動作が行われることとなる。
【００２７】
また、請求項６に記載の発明によれば、請求項５に記載の画像形成装置であって、前記画像読取部は、前記原稿の画像を予め定められた表色系に用いられる複数の色成分の画像データとして読み取るものであり、
前記地紋検出部は、前記画像読取部の読取動作により得られた画像データに基づき前記表色系に用いられる各色成分の地紋に係る画像データの有無をそれぞれ検出するとともに、地紋に係る画像データを検出した色成分の組み合わせパターンに基づいて前記地紋の色を検出するものである。
【００２８】
この発明によれば、比較的簡単な方法で地紋の色を検出することができる。
【００２９】
また、請求項７に記載の発明によれば、請求項１に記載の画像形成装置であって、前記画像形成部による通常の画像形成動作を行う通常画像形成モードと、前記通常画像形成モードに比して同一の画像データに基づく画像形成動作に要する現像剤の消費量を抑制する現像剤抑制モードとを択一的に設定するモード設定部を更に備え、
前記画像形成制御部は、前記モード設定部により前記現像剤抑制モードが設定されている場合において、前記地紋検出部により前記地紋が検出されたときには、該原稿の画像全体に係る画像形成動作として前記モノクロの画像形成動作を前記画像形成部に行わせるものである。
【００３０】
この発明によれば、前記現像剤抑制モードが設定されている場合において、前記地紋検出部により前記地紋が検出されたときには、前記原稿の画像全体に係る画像形成動作としてモノクロの画像形成動作を前記画像形成部に行わせるようにしたので、地紋に係る画像形成動作として単一の現像剤を用いたモノクロの画像形成動作が行われることとなる。
【００３１】
よって、前記現像剤抑制モードが設定されている場合において、前記地紋検出部により前記地紋が検出されたときに、該原稿の画像全体に係る画像形成動作として複数の現像剤を用いた画像形成動作を前記画像形成部に実施させる場合に比して使用する現像剤の種類の数を抑制できる場合が生じ、現像剤の浪費を防止又は抑制することができる。
【発明の効果】
【００３２】
本発明に係る画像形成装置よれば、地紋の色が前記各現像剤のうち少なくとも２つの現像剤の色の混色である色を持つ地紋が形成された原稿を複写する場合の現像剤の消費量（使用量）を抑制することができる。
【図面の簡単な説明】
【００３３】
【図１】本発明の一実施形態における複合機の概略構成図である。
【図２】複合機の電気的な構成を示すブロック図である。
【図３】ＡＣＳ処理を示すフローチャートである。
【図４】ＡＣＳ処理を示すフローチャートである。
【図５】ＡＣＳ処理を示すフローチャートである。
【図６】地紋の一例を示す図である。
【図７】地紋を形成するための潜像部及び背景部を形成するドットパターンを示す図である。
【図８】原稿に形成されている地紋の色ごとに、Ｒ（赤）、Ｇ（緑）、Ｂ（青）の各画像データが示す画素値と閾値との大小関係を示した図である。
【図９】各色成分の地紋データの有無と、原稿上の地紋（有彩色の地紋とモノクロの地紋の区別はしない）の有無と、原稿上の有彩色の地紋の有無との関係を示す図である。
【図１０】制御部による処理を示すフローチャートである。
【図１１】制御部による処理の変形形態を示すフローチャートである。
【図１２】制御部による処理の他の変形形態を示すフローチャートである。
【図１３】制御部による処理の他の変形形態を示すフローチャートである。
【発明を実施するための形態】
【００３４】
以下、本発明に係る画像形成装置の一実施形態としての複合機について図面を参照しながら説明する。図１は、本発明の一実施形態における複合機の概略構成図である。
【００３５】
図１に示すように、複合機１は、Ｃ（シアン）、Ｍ（マゼンタ）、Ｙ（イエロー）及びＫ（黒）の各色別に画像形成部２Ｃ、２Ｍ、２Ｙ、２Ｋ（これらを纏めて画像形成部２という）が本体内に並設されている。
【００３６】
画像形成部２は、用紙に対するカラー画像の形成（印刷）を行うものであり、画像形成部２Ｍ、２Ｃ、２Ｙ及び２Ｋは、それぞれ、例えばアモルファスシリコンからなる感光体ドラム３、この感光体ドラム３の周囲に配設された帯電部４、露光部５、現像部６及び感光体クリーニング部７を備えている。
【００３７】
帯電部４は、感光体ドラム３の表面全体を均一に所定電位に帯電させるものである。露光部５は、後述の画像データ記憶部４０（図２参照）から送信されてきた画像データに基づき生成されたＬＥＤ光を感光体ドラム３の表面に照射し、該感光体ドラム３の表面上に静電潜像を形成するものである。
【００３８】
現像部６は、感光体ドラム３に形成された静電潜像を現像剤供給部６１から供給される現像剤を用いて現像することで、顕像として静電潜像を顕在化させるものである。感光体クリーニング部７は、後述する中間ベルト１０への顕像の一次転写終了後、中間ベルト１０に転写されずに感光体ドラム３の表面に残った現像剤を除去するものである。
【００３９】
画像形成部２Ｍ〜２Ｋの下方には、感光体ドラム３の表面に顕在化した顕像の中間転写（一次転写）を行うための中間転写ローラ９（一次転写ローラ）及び中間ベルト（中間転写ベルト）１０が配設されている。中間ベルト１０は、所定のベルト体からなり、各感光体ドラム３と対向配置された中間転写ローラ９によって感光体ドラム３に押圧された状態で、駆動ローラ１１によって無端回転するように構成されている。中間ベルト１０は駆動ローラ１１、従動ローラ１２、テンションローラ１３にわたって巻き掛けられている。従動ローラ１２、テンションローラ１３は中間ベルト１０を介して駆動ローラ１１の駆動力を受けて従動回転する。テンションローラ１３は中間ベルト１０が弛まないように中間ベルト１０に適切な張力を付与する。
【００４０】
感光体ドラム３上に形成される各色の顕像は、無端回転される中間ベルト１０上に、中間転写ローラ９に印加された一次転写バイアスの作用によって、それぞれタイミングを合わせて、シアン、マゼンタ、イエロー及びブラックの順に転写されて重ね合わされる。これにより中間ベルト１０上にＣ、Ｍ、Ｙ、Ｋの４色からなるカラー画像が形成される。
【００４１】
テンションローラ１３と対向する位置には、中間ベルト１０を介して２次転写ローラ１４が設けられている。２次転写ローラ１４にはニ次転写バイアスが印加され、このニ次転写バイアスの作用によって中間ベルト１０上のカラー画像は用紙（記録媒体の一例）へ転写するものである。
【００４２】
また、複合機１は、画像形成部２Ｃ，２Ｍ，２Ｙ，２Ｋへ向けて給紙を行う給紙部１５を備えている。給紙部１５は、用紙を収納する給紙カセット１５１、用紙が搬送される経路である搬送路１５２、及び、搬送路１５２中の用紙の搬送を行う搬送ローラ１５３等を備え、給紙カセット１５１から１枚ずつ取り出された用紙を２次転写ローラ１４とテンションローラ１３の間の二次転写ニップへ向けて搬送する。なお、給紙部１５は、２次転写処理された用紙を定着部１６へ搬送し、この定着処理された用紙を複合機本体上部に設けられた用紙排出トレイ１７へ排出する。
【００４３】
搬送路１５２における２次転写ローラ１４より下流側の適所には、定着部１６が設けられている。定着部１６は、用紙に転写された顕像を定着させるものである。定着部１６は、ヒートローラ１６１及び圧ローラ１６２からなり、ヒートローラ１６１の熱によって用紙上の現像剤を溶かし、圧ローラ１６２によって圧力をかけて現像剤を用紙上に定着させる。
【００４４】
また、複合機１は、除電クリーニング１８を備えている。除電クリーニング１８は、中間ベルト１０上に残留した現像剤を除去（回収）するものである。除電クリーニング１８は、図略のクリーニング電極及びクリーニングブラシ（回転ブラシ）からなり、クリーニング電極によって現像剤の帯電電荷と逆極性のクリーニングバイアスをクリーニングブラシに印加し、これによる静電気力によって中間ベルト１０上の現像剤をクリーニングブラシに移動させることで現像剤の除去を行う。
【００４５】
複合機本体の上部には、原稿読取部２０と原稿給送部２４とが設けられている。原稿読取部２０は、露光ランプ及び複数の反射ミラー等からなるスキャナ部２１と、ガラス等の透明部材により構成された原稿台２２及び原稿読取スリット２３と、ＣＣＤ(Charge Coupled Device)センサとを備える。
【００４６】
ＣＣＤは、例えば複数の光電変換素子が主走査方向に配列されてなる光電変換素子列が副走査方向に例えば３列並べられ、１列にはＲ（赤）のフィルタが配設され、他の１列にはＧ（緑）のフィルタが配設され、他の１列にはＢ（青）のフィルタが配設された構成を有するラインセンサである。なお、以下の説明においては、Ｒ（赤）、Ｇ（緑）、Ｂ（青）のフィルタがそれぞれ配設された副走査方向に並ぶ３つの光電変換素子を１つの画素というものとする。このとき、１つの画素から、Ｒ（赤）、Ｇ（緑）、Ｂ（青）の各色成分の画像データがそれぞれ出力される。なお、当該Ｒ（赤）、Ｇ（緑）、Ｂ（青）の各色成分からなる表色系が予め定められた表色系の一例である。
【００４７】
スキャナ部２１は、図略の駆動部によって移動可能に構成され、原稿台２２に載置された原稿を読み取るときは、原稿台２２に対向する位置で原稿面に沿って移動され、原稿画像を走査しつつ取得した画像データを制御部３３（図２参照）へ出力する。また、原稿給送部２４により給送された原稿を読み取るときは、原稿読取スリット２３と対向する位置に移動され、原稿読取スリット２３を介して原稿給送部２４による原稿の搬送動作と同期して原稿の画像を取得し、その画像データを制御部３３へ出力する。
【００４８】
原稿給送部２４は、原稿を載置するための原稿載置部２５と、画像読み取り済みの原稿を排出するための原稿排出部２６と、原稿載置部２５に載置された原稿を１枚ずつ繰り出して原稿読取スリット２３に対向する位置へ搬送し、原稿排出部２６へ排出するための給紙ローラや搬送ローラ（図示せず）等からなる原稿搬送機構２７を備える。原稿搬送機構２７は、さらに原稿を表裏反転させて原稿読取スリット２３と対向する位置へ再搬送する用紙反転機構（図示せず）を備え、原稿の両面の画像を、原稿読取スリット２３を介してスキャナ部２１によって読取可能にしている。
【００４９】
また、原稿給送部２４は、その前面側が上方に移動可能となるように前記スキャナ部２１に対して回動自在に設けられている。原稿給送部２４の前面側を上方に移動させて原稿台２２の上面を開放することにより、原稿台２２の上面に読み取り原稿、例えば見開き状態にされた書籍等をユーザが載置できるようになっている。
【００５０】
図２は、複合機１の電気的な構成の一例を示すブロック図である。図２に示すように、複合機１は、ネットワークＩ／Ｆ（インターフェース）部３０、画像データ記憶部４０、ユーザインターフェース部５０、記録部６０、クリーニング部７０及び制御部３３を備えている。
【００５１】
ネットワークＩ／Ｆ部３０は、ＬＡＮ等のネットワークを介して接続されたＰＣ等の情報処理装置（外部装置）との間における種々のデータの送受信を制御するものである。画像データ記憶部４０は、ネットワークＩ／Ｆ部３０を介してＰＣ等から送信されてきた画像データを一時的に記憶するものである。
【００５２】
ユーザインターフェース部５０は、複合機１のフロント部に設けられ、ユーザによる各種指示入力が行われる入力キーとして機能したり、所定の情報を表示したりするものである。また、本実施形態の複合機１は、動作モードとして、原稿を、Ｃ（シアン）、Ｍ（マゼンタ）、Ｙ（イエロー）、Ｋ（黒）の各現像剤のうち少なくとも２つを使用して複写するカラーコピーモードと、原稿をＫ（黒）の現像剤のみを使用して複写するモノクロコピーモードと、後述するＡＣＳ処理部３５により原稿がカラー原稿であるかモノクロ原稿であるかを判定（装置側で自動的に判定）し、その判定結果に応じた画像形成動作を行う自動カラー判定モードとを有しており、ユーザインターフェース部５０は、これらのモードの間でモードの切替設定を行うためのモード切替操作部５１を有する。
【００５３】
前記モード切替操作部５１に対して動作モードを切り替える操作が行われると、ユーザが指定した動作モードに切り替える指示を示すモード情報が前記モード切替操作部５１から制御部３３に出力される。これにより、制御部３３により複合機１の画像形成モードが、ユーザが指定した動作モードに切り替えられる。
【００５４】
記録部６０は、上記画像形成部２、転写部６２、定着部１６及び給紙部９を備え、画像データ記憶部４０に記憶されるなどした画像データに基づいて用紙に対する画像印刷を行うものである。転写部６２は、上述の中間ベルト１０、駆動ローラ１１、従動ローラ１２、テンションローラ１３及び２次転写ローラ１４等を備えてなり、中間ベルト１０を介して感光体ドラム３上の顕像を用紙に転写するものである。
【００５５】
クリーニング部７０は上記除電クリーニング１８からなるものである（感光体クリーニング部７も含む）。
【００５６】
制御部３３は、各種制御プログラムを記憶するＲＯＭ（Read Only Memory）、データを一時的に保管する機能や作業領域としての機能を有するＲＡＭ（Random Access Memory）、及び上記制御プログラム等をＲＯＭから読み出して実行するマイクロコンピュータなどからなり、上記各機能部に対する各種制御信号の送信や各機能部からの動作状況等にかかわる信号の受信を行い、複合機１全体の動作制御を司るものである。
【００５７】
また、制御部３３は、モード設定部３４と、ＡＣＳ処理部３５と、地紋処理部３６と、画像形成制御部３７とを備える。なお、本実施形態では、原稿として黒色の現像剤で形成された画像の背景領域に地紋が形成されている場合を想定して各処理の説明を行う。
【００５８】
モード設定部３４は、複合機１の動作モードを、前記カラーコピーモードと前記モノクロコピーモードと前記自動カラー判定モードとのうち、前記モード切替操作部５１から受信したモード情報が示す動作モードに設定するものである。
【００５９】
ＡＣＳ処理部（第１判定部，第２判定部）３５は、原稿読取部２０により読み取られた原稿が前記カラー原稿であるか否か（原稿に形成されている画像全体が少なくとも１つの有彩色を用いたカラーの画像であるか否か）をＡＣＳ（Auto Color Selection）処理により自動的に判別するものである。ＡＣＳ処理の一例を図３〜５に示す。
【００６０】
ＡＣＳ処理部３５は、まず、画素ごとに図３に示すような処理を実施する。すなわち、画素のＲ（赤）成分の画素値をＲ、Ｇ（緑）成分の画素値をＧ、Ｂ（青）成分の画素値をＢと表したとき、画素ごとに、画素値Ｂと画素値Ｇとの差が予め定められた閾値より大きいという条件、画素値Ｇと画素値Ｒとの差が予め定められた閾値より大きいという条件、画素値Ｒと画素値Ｂとの差が予め定められた閾値より大きいという条件の少なくとも１つの条件を満たすか否かを判断し、前記各条件のいずれかを少なくとも１つの条件を満たすときには（ステップ♯１でＹＥＳ）、当該画素がカラー画素であると判断して、カラー画素のカウント値を１だけカウントアップする（ステップ♯２）。
【００６１】
各画素について図３に示す処理が終わると、図４に示すように、ＡＣＳ処理部３５は、前記各画素ライン（画素列）に着目し、画素ラインごとに、当該画素ラインに属するカラー画素の数が予め定められた閾値以上であるか否かを判断し（ステップ♯３）、当該画素ラインに属するカラー画素の数が予め定められた閾値以上であるとき（ステップ♯３でＹＥＳ）、当該画素ラインがカラーの画素ラインであると判断してカウント値を１だけカウントアップする（ステップ♯４）。
【００６２】
前記各画素ラインについて図４に示す処理が終わると、図５に示すように、ＡＣＳ処理部３５は、当該画像におけるカラー画素ラインについてのカウント値が予め定められた閾値以上であるか否かを判断し（ステップ♯５）、当該画像におけるカラー画素ラインについてのカウント値が予め定められた閾値以上であるとき（ステップ♯５でＹＥＳ）、当該画像をカラーの画像であると判断する（ステップ♯６）。
【００６３】
地紋処理部３６は、前記地紋検出部に相当するものであり、Ｒ色地紋検出部３６１と、Ｇ色地紋検出部３６２と、Ｂ色地紋検出部３６３と、地紋色判定部３６４とを備える。ここで、地紋について説明する。
【００６４】
図６（ａ），（ｂ）は、地紋の一例を示す図である。地紋は、図６（ａ），（ｂ）に示すように、異なるスクリーン線数で形成される潜像部５４，５６及び背景部５５，５７を有してなる。
【００６５】
図７に示すように、潜像部５４，５６を形成するスクリーン線数（図７（ａ）参照）は、背景部５５，５７を形成するスクリーン線数（図７（ｂ）参照）より線数（網点の密度）が高く、背景部５５，５７は、当該複合機１を含む一般的な複合機であれば読取動作で解像される程度のサイズ（径）のドットで形成されている一方、潜像部５４，５６は、当該複合機１を含む一般的な複合機では読取動作で解像されない程度のサイズ（径）のドットで形成されている。
【００６６】
したがって、この地紋が形成された原稿に対する読取動作が行われると、複写物には、通常、原稿のうち潜像部５４，５６の領域に相当する部分が白抜き状態となって視覚的に所定の模様が浮かび上がって見えるようになっている。地紋は、網点のサイズ、密度、スクリーン線数及び網点角度を含む各パラメータのうち１又は複数のものが画像領域の画像と異なる網点で構成されたものである。
【００６７】
Ｒ色地紋検出部３６１は、スキャナ部２１から出力されるＲ（赤），Ｇ（緑），Ｂ（青）の各色成分の原稿画像データのうちＲ（赤）色成分の原稿画像データに所定の地紋データが含まれているか否かを検出するものである。
【００６８】
すなわち、Ｒ色地紋検出部３６１は、Ｒ（赤）の地紋の画像データについての基準データを予め記憶しており、スキャナ部２１から受信したＲ（赤）色成分の原稿画像データの中に前記基準データと一致する画像データが存在するか否かを検出する。より具体的には、Ｒ色地紋検出部３６１は、スキャナ部２１から取得したＲ（赤）色成分の原稿画像データを複数に分割し、分割してなる画像データごとに、当該画像データと前記基準データとがそれぞれ一致（略一致を含む）するか否かを、前記各パラメータの値が一致（略一致）するか否かにより判断する。前記基準データは、網点のサイズ、密度、スクリーン線数及び網点角度等からなる各パラメータがそれぞれ予め定められた値に設定されたものである。
【００６９】
Ｇ色地紋検出部３６２は、スキャナ部２１から出力されるＲ（赤），Ｇ（緑），Ｂ（青）の各色成分の原稿画像データのうちＧ（緑）色成分の原稿画像データに所定の地紋データが含まれているか否かを検出するものである。
【００７０】
すなわち、Ｇ色地紋検出部３６２は、前述したＲ色地紋検出部３６１による検出方法と同様、Ｇ（緑）色成分の地紋の画像データについての基準データを予め記憶しており、スキャナ部２１から受信したＧ（緑）色成分の原稿画像データの中に前記基準データと一致する画像データが存在するか否かを検出する。より具体的には、Ｇ色地紋検出部３６２は、スキャナ部２１から取得したＧ（緑）色成分の原稿画像データを複数に分割し、分割してなる画像データごとに、当該画像データと前記基準データとがそれぞれ一致（略一致を含む）するか否かを、前記各パラメータの値が一致（略一致）するか否かにより判断する。前記基準データは、網点のサイズ、密度、スクリーン線数及び網点角度等からなる各パラメータがそれぞれ予め定められた値に設定されたものである。
【００７１】
Ｂ色地紋検出部３６３は、スキャナ部２１から出力されるＲ（赤），Ｇ（緑），Ｂ（青）の各色成分の原稿画像データのうちＢ（青）色成分の原稿画像データに所定の地紋データが含まれているか否かを検出するものである。
【００７２】
すなわち、Ｂ色地紋検出部３６３は、前述したＲ色地紋検出部３６１及びＧ色地紋検出部３６２による検出方法と同様、Ｂ（青）色成分の地紋の画像データについての基準データを予め記憶しており、スキャナ部２１から受信したＢ（青）色成分の原稿画像データの中に前記基準データと一致する画像データが存在するか否かを検出する。より具体的には、Ｂ色地紋検出部３６３は、スキャナ部２１から取得したＢ（青）色成分の原稿画像データを複数に分割し、分割してなる画像データごとに、当該画像データと前記基準データとがそれぞれ一致（略一致を含む）するか否かを、前記各パラメータの値が一致（略一致）するか否かにより判断する。前記基準データは、網点のサイズ、密度、スクリーン線数及び網点角度等からなる各パラメータがそれぞれ予め定められた値に設定されたものである。
【００７３】
ところで、図８に示すように、原稿に形成されている地紋の色が例えばＫ（黒）である場合には、Ｒ（赤）、Ｇ（緑）、Ｂ（青）の各色成分の地紋データは、いずれも画素値が小さくなる。また、原稿に形成されている地紋の色が例えばＲ（赤）である場合、Ｒ（赤）の地紋データのみ画素値が相対的に大きくなり、Ｇ（緑）、Ｂ（青）の各地紋データは画素値が相対的に小さくなる。また、原稿に形成されている地紋の色が例えばＣ（シアン）である場合、Ｇ（緑）、Ｂ（青）の各地紋データは相対的に大きくなり、Ｒ（赤）の画像データは相対的に小さくなる。
【００７４】
このように、Ｒ（赤），Ｇ（緑）、Ｂ（青）の各色成分の地紋の各画像データが示す画素値の大小の組み合わせパターンが、原稿に形成される地紋の色の種類に固有のものとなり、前記組み合わせパターンの形態と、原稿に形成されている地紋の色とが対応する。
【００７５】
ここで、本実施形態においては、原稿の用紙は白色であるものとする。この場合、例えばＲ色成分の地紋の画像データが画素値の大きいものとなり、該画像データの画素値が、画像の存在しない白色の背景部分を読み取ったＲ（赤）の光電変換素子の画像データの画素値と近似すると、Ｒ色地紋検出部３６１は、着目している画像データが、前記地紋の画像データであるのか、白色の背景部分を示す画像データであるのかが区別できない。
【００７６】
すなわち、Ｒ色地紋検出部３６１は、Ｒ色成分の地紋の画像データの画素値が、画像の存在しない白色の背景部分を読み取ったＲ（赤）の光電変換素子の画像データの画素値と近似する場合には、スキャナ部２１から受信したＲ（赤）の原稿画像データからＲ（赤）色成分の地紋の画像データを検出することができない。これは、Ｇ色地紋検出部３６２及びＢ色地紋検出部３６３についても同様である。
【００７７】
そこで、本実施形態では、Ｒ色地紋検出部３６１は、白色の背景部分を示す画像データの画素値と近似する画像データを除く、画素値の比較的小さいＲ（赤）の画像データを用いて（画素値が比較的小さいＲ（赤）の画像データを対象として）、Ｒ色成分の地紋の画像データの検出処理を行う。
【００７８】
すなわち、Ｒ色地紋検出部３６１は、スキャナ部２１から受信したＲ（赤）色成分の原稿画像データの中に、比較的画素値の小さい画像データであって且つ前記基準データと一致する画像データが存在するか否かを検出する。
【００７９】
そして、Ｒ色地紋検出部３６１は、スキャナ部２１から受信したＲ（赤）色成分の原稿画像データの中に、比較的画素値の小さい画像データであって且つ前記基準データと一致する画像データが存在することを検出した場合には、Ｒ色成分の地紋の画像データを検出した旨を示す検出結果を地紋色判定部３６４に通知する一方、それ以外の場合、すなわち、スキャナ部２１から受信したＲ（赤）色成分の原稿画像データの中に、比較的画素値の大きな画像データが存在する場合には、Ｒ色成分の地紋の画像データを検出しなかった旨を示す検出結果を地紋色判定部３６４に通知する。Ｇ色地紋検出部３６２及びＢ色地紋検出部３６３も、Ｒ色地紋検出部３６１と同様の処理を実施する。
【００８０】
地紋色判定部３６４は、Ｒ色地紋検出部３６１、Ｇ色地紋検出部３６２及びＢ色地紋検出部３６３による各検出結果に基づき、原稿における地紋の有無や地紋の色を判定するものである。
【００８１】
図９は、Ｒ色地紋検出部３６１，Ｇ色地紋検出部３６２及びＢ色地紋検出部３６３による各色成分の地紋データの有無に係る検出結果と、原稿上の地紋（有彩色及びモノクロの区別はしない）の有無と、原稿上の有彩色の地紋の有無との関係を示す図である。なお、ここでは、原稿に形成される地紋に用いられ得る色として、Ｋ（黒）、Ｒ（赤）、Ｇ（緑）、Ｂ（青）、Ｃ（シアン）、Ｍ（マゼンタ）、Ｙ（イエロー）の計７色を想定する。
【００８２】
図９においては、Ｒ色地紋検出部３６１，Ｇ色地紋検出部３６２及びＢ色地紋検出部３６３により当該色成分の地紋データが存在すると判断された場合を「１」と表す一方、当該色成分の地紋データが存在しないと判断された場合を「０」と表している。また、前記原稿上の地紋の有無については、Ｒ（赤）、Ｇ（緑）及びＢ（青）の各色成分のうち少なくとも１つの色成分の地紋データが検出された場合に地紋が存在することとなり、図９においては、その場合を「１」と表す一方、Ｒ（赤）、Ｇ（緑）及びＢ（青）の各色成分とも地紋データが検出されなかった場合に地紋が存在しないこととなり、図９においては、その場合を「０」と表している。
【００８３】
また、原稿上の有彩色の地紋の有無については、Ｒ（赤）、Ｇ（緑）及びＢ（青）の各色成分のうち１つ又は２つの色成分の地紋データが検出された場合に有彩色の地紋が存在することとなり、図９においては、その場合を「１」と表す一方、Ｒ（赤）、Ｇ（緑）及びＢ（青）の各色成分の全てに地紋データが検出された場合には、有彩色の地紋が存在せず黒色の地紋が存在することとなり、この場合を「０」と表している。
【００８４】
地紋色判定部３６４は、図９に示すようなテーブルを予め記憶している。そして、地紋色判定部３６４は、前述したＲ色地紋検出部３６１、Ｇ色地紋検出部３６２及びＢ色地紋検出部３６３による各検出結果と前記テーブルとに基づき、地紋の有無及び有彩色の地紋の有無を求め、地紋の有無を示す第１検出結果情報と、有彩色の地紋の有無を示す第２検出結果情報とを画像形成制御部３７に出力する。
【００８５】
例えば、地紋色判定部３６４は、前記Ｒ色地紋検出部３６１、Ｇ色地紋検出部３６２及びＢ色地紋検出部３６３によりＲ（赤）、Ｇ（緑）及びＢ（青）の各色成分とも地紋データが存在すると判断された場合には、図９に示すテーブルに基づき、原稿に地紋が形成されている旨を示す「１」のデータを前記第１検出結果情報として出力するとともに、この地紋は有彩色の地紋ではない旨（該地紋は黒色の地紋である旨）を示す「０」のデータを前記第２検出結果情報として出力する。
【００８６】
また、地紋色判定部３６４は、前記Ｒ色地紋検出部３６１、Ｇ色地紋検出部３６２及びＢ色地紋検出部３６３によりＲ（赤）、Ｇ（緑）及びＢ（青）の各成分のうち１つ又は２つの色成分の地紋データが存在すると判断された場合には、原稿に地紋が形成されている旨を示す「１」のデータを前記第１検出結果情報として出力するとともに、有彩色の地紋が原稿に形成されている旨を示す「１」のデータを前記第２検出結果情報として出力する。
【００８７】
また、地紋色判定部３６４は、前記Ｒ色地紋検出部３６１、Ｇ色地紋検出部３６２及びＢ色地紋検出部３６３によりＲ（赤）、Ｇ（緑）及びＢ（青）の各成分とも地紋データが存在しないと判断された場合には、原稿に地紋が形成されていない旨を示す「０」のデータを前記第１検出結果情報として出力するとともに、有彩色の地紋が原稿に形成されていない旨を示す「０」のデータを前記第２検出結果情報として出力する。
【００８８】
画像形成制御部３７は、モード設定部３４により設定されている動作モードの種類（カラーコピーモード／モノクロコピーモード／自動カラー判定モード）と、前記ＡＣＳ処理部３５による処理結果と、前記地紋処理部３６から出力される第１及び第２検出結果情報とに基づき、カラーの画像形成動作又はモノクロの画像形成動作の実施を画像形成部２に指示するものである。
【００８９】
前記カラーの画像形成動作とは、１つの用紙面に対し、予め定められた表色系（ここでは、ＣＭＹ表色系）に用いられるＣ（シアン）、Ｍ（マゼンタ）、Ｙ（イエロー）の現像剤及びＫ（黒）の現像剤のうち少なくとも２つの現像剤を用いて画像を形成する画像形成動作をいい、モノクロの画像形成動作とは、１つの用紙面に対し、前記各現像剤のうち単一の現像剤（ここでは黒色の現像剤）のみを用いて画像を形成する画像形成動作をいう。
【００９０】
前記画像形成制御部３７の具体的な処理を説明すると、画像形成制御部３７は、前記モード設定部３４により前記カラーコピーモード又はモノクロコピーモードに設定されている場合には、前記ＡＣＳ処理部３５による処理結果や前記地紋処理部３６から出力される第１及び第２検出結果情報に関係なく、現在設定されている動作モード（カラーコピーモード又はモノクロコピーモード）での画像形成動作を画像形成部２に指示する。
【００９１】
また、画像形成制御部３７は、前記モード設定部３４により自動カラー判定モードに設定されている場合には、前記ＡＣＳ処理部３５による処理結果及び前記地紋処理部３６から出力される第１及び第２検出結果情報に応じて、次のような処理を行う。
【００９２】
画像形成制御部３７は、前記地紋色判定部３６４から受信した前記第１検出結果情報が、地紋が存在する旨を示す情報であり、且つ、前記地紋色判定部３６４から受信した前記第２検出結果情報が有彩色の地紋が存在する旨を示す情報である場合には、前記ＡＣＳ処理部３５による判定結果に拘らず、原稿全体の画像（原稿読取部２０によって読み取られた画像であって、元の原稿自体の画像と、これに付加された地紋の画像とでなる）に係る画像形成動作として前記モノクロの画像形成動作を画像形成部２に指示する。
【００９３】
また、画像形成制御部３７は、それ以外の場合、すなわち前記地紋色判定部３６４から受信した前記第１検出結果情報が、地紋が存在しない旨を示す情報である場合には、ＡＣＳ処理部３５による判定結果に応じた画像形成動作を画像形成部２に指示する。
【００９４】
また、画像形成制御部３７は、前記第１検出結果情報が、地紋が形成されている旨を示す情報であり、且つ、前記地紋色判定部３６４から受信した前記第２検出結果情報が、有彩色の地紋が存在しない旨を示す情報である場合には、ＡＣＳ処理部３５による判定結果に応じた画像形成動作を画像形成部２に指示する。
【００９５】
図１０は、制御部３３（画像形成制御部３７）による処理を示すフローチャートである。
【００９６】
図１０に示すように、画像形成制御部３７は、前記モード設定部３４により自動カラー判定モードに設定されているか否かを判断する（ステップ♯１）。画像形成制御部３７は、前記モード設定部３４により自動カラー判定モードに設定されていない、換言すると、前記モード設定部３４によりカラーコピーモード又はモノクロコピーモードに設定されていると判断すると（ステップ♯１０でＮＯ）、前記モード設定部３４により現在設定されている動作モード（カラーコピーモード又はモノクロコピーモード）で画像形成動作を画像形成部２に実施させる（ステップ♯２０）。
【００９７】
一方、ステップ♯１０において、画像形成制御部３７は、前記モード設定部３４により自動カラー判定モードに設定されていると判断すると（ステップ♯１０でＹＥＳ）、前記地紋処理部３６により地紋が検出されたか否かを前記第１検出結果情報に基づいて判断する（ステップ♯３０）。
【００９８】
画像形成制御部３７は、前記地紋処理部３６により地紋が検出されたと判断すると（ステップ♯３０でＹＥＳ）、有彩色の地紋が検出されたか否かを前記第２検出結果情報に基づいて判断する（ステップ♯４０）。画像形成制御部３７は、前記地紋が有彩色の地紋であると判断すると（ステップ♯４０でＹＥＳ）、前記原稿全体の画像に係る画像形成動作として画像形成部２に黒色の現像剤のみを使用したモノクロの画像形成動作を実施させる（ステップ♯５０）。
【００９９】
一方、画像形成制御部３７は、ステップ♯３０で地紋が検出されなかったものと判断したとき（ステップ♯３０でＮＯ）、及び、ステップ♯４０で有彩色の地紋が検出されなかったものと判断したとき（ステップ♯４０でＮＯ）には、前記ＡＣＳ処理部３５による判定結果に応じた画像形成動作を画像形成部２に実施させる（ステップ♯６０）。
【０１００】
以上のように、本実施形態では、ＡＣＳ処理部３５によりテキスト等の本来の画像の背景に有彩色の地紋が形成されていることを検出した場合であっても、ＡＣＳ処理部３５による判定結果の如何に拘らずに、画像形成制御部３７が、原稿全体の画像に係る画像形成動作としてモノクロの画像形成を行う。これにより、上記テキスト等の本来の原稿画像がモノクロであるにも拘らず、地紋が少なくとも２つの現像剤の色の混色であるがためにＡＣＳ処理部３５により原稿がカラー原稿であると判定された場合には、画像形成制御部３７はカラー画像形成を行わない。このため、原稿画像がモノクロであるにも拘らず、地紋が少なくとも２つの現像剤の色の混色であるがためにカラーの画像形成動作が実施される場合に比して、使用する現像剤の色の数を抑制することができる。その結果、現像剤の消費量を低減したり、現像剤の浪費を防止又は抑制したりすることができる。さらにはモノクロ画像の形成に係る単一の画像形成部のみを動作させれば良いので、カラーの画像を形成する場合（少なくとも二つの画像形成部を動作させる必要がある）と比較して省エネになる。
【０１０１】
本件は、前記実施形態に代えて、或いは前記実施形態に加えて次のような変形形態も採用可能である。
【０１０２】
変形形態［１］
前記第１の実施形態においては、原稿画像の背景に有彩色の地紋が形成されているときは、ＡＣＳ処理部３５による判定結果の如何に拘らず原稿全体の画像に係る画像形成動作としてモノクロの画像形成動作を行うようにしたが、少なくとも、画像形成制御部３７が、地紋の画像に係る画像形成動作として前記モノクロの画像形成動作を行うようにすれば、地紋に要する現像剤の消費量を低減することができる。
【０１０３】
また、その場合において、上記テキスト等の本来の原稿画像については、画像形成制御部３７が、ＡＣＳ処理部３５による判定結果に従って、カラーの画像形成動作を行うか、モノクロの画像形成動作を行うかを判別すればよい。
【０１０４】
変形形態［２］
変形形態［２］は、前記変形形態［１］と同様に、ＡＣＳ処理部３５による判定結果の如何に拘らずに、地紋の画像に係る画像形成動作としてモノクロの画像形成動作を行うが、この変形形態［２］は、このモノクロの画像形成時には、黒色の現像剤を用いたモノクロの画像形成に限定せず、黒色以外の単一の現像剤のみを用いたモノクロの画像形成動作を行うものである。
【０１０５】
これら変形形態［１］，［２］によれば、以下の効果がある。
【０１０６】
たとえば、前記第１の実施形態では、原稿の画像が有彩色であり、且つ、地紋が黒色である場合にも、原稿の画像全体に係る画像形成動作としてモノクロの画像形成動作が行われる。すなわち、地紋の画像に係る画像形成動作に用いる現像剤の色を黒色に限定しないものとすると、前記第１の実施形態では、画像形成制御部３７は、地紋の画像の色が黒色であり原稿画像の色が有彩色、例えばマゼンタである原稿が複写対象であっても、原稿の画像全体に係る画像形成動作として、一色の現像剤のみでモノクロの画像形成動作を実施することとなる。この場合、用紙に形成される地紋を含めた画像全体が色彩的に原稿の画像と比較的異なったものとなる可能性がある。
【０１０７】
これに対して、変形形態［１］，［２］によれば、上記テキスト等の本来の原稿画像については元の原稿通りの色で画像形成を行いつつ、地紋についてはその画像形成に要する現像剤の消費量を低減することができる。
【０１０８】
変形形態［３］
前記第１の実施形態や前記変形形態［１］，［２］では、地紋処理部３６が地紋を検出した場合にその地紋の色が有彩色であるか否かを検出し、黒色の現像剤のみを使用したモノクロの画像形成動作を行うかカラーの画像形成動作を行うかをその検出結果に応じて画像形成制御部３７が決定するようにしたが、変形形態［３］は、図１１に示すように、画像形成制御部３７は、地紋の色に関係なく、地紋が検出された場合にはモノクロの画像形成動作を実施するものである。
【０１０９】
図１１は、この制御部３３による処理の変形形態を示すフローチャートである。
【０１１０】
図１１に示すように、画像形成制御部３７は、複合機１が自動カラー判定モードに設定されているか否かを判断する（ステップ♯１１）。画像形成制御部３７は、前記モード設定部３４により自動カラー判定モードに設定されていない、換言すると、前記モード設定部３４によりカラーコピーモード又はモノクロコピーモードに設定されていると判断すると（ステップ♯１１でＮＯ）、前記モード設定部３４により現在設定されている動作モード（カラーコピーモード又はモノクロコピーモード）での画像形成動作を画像形成部２に実施させる（ステップ♯１２）。
【０１１１】
一方、ステップ♯１１において、画像形成制御部３７は、前記モード設定部３４により自動カラー判定モードに設定されていると判断すると（ステップ♯１１でＹＥＳ）、前記地紋処理部３６により地紋が検出されたか否かを前記第１検出結果情報に基づいて判断する（ステップ♯１３）。
【０１１２】
画像形成制御部３７は、前記地紋処理部３６により地紋が検出されたと判断すると（ステップ♯１３でＹＥＳ）、原稿全体の画像に係る画像形成動作として画像形成部２に前記モノクロの画像形成動作を実施させる（ステップ♯１４）。一方、画像形成制御部３７は、ステップ♯１３で地紋が検出されなかったものと判断したとき（ステップ♯１３でＮＯ）には、前記ＡＣＳ処理部３５による判定結果に応じた画像形成動作を画像形成部２に実施させる（ステップ♯１５）。
【０１１３】
このような処理によっても、ＡＣＳ処理部３５により原稿がカラー原稿であると判定した場合にカラーの画像形成動作を実施する場合に比して、現像剤の消費量を低減したり、現像剤の浪費を防止又は抑制したりすることができる。
【０１１４】
また、この変形形態［３］は、前記第１の実施形態や変形形態［１］，［２］のように、地紋の色を前記画像データに基づいて検出する地紋色判定部３６４を備えずに済み、その分、コストアップや処理の複雑化を抑制することができる。
【０１１５】
変形形態［４］
前記変形形態［３］においては、地紋の色に拘らず原稿画像の背景に地紋が形成されているときは、ＡＣＳ処理部３５による判定結果の如何に関係なく原稿全体の画像に係る画像形成動作としてモノクロの画像形成動作を行うようにしたが、前記変形形態［１］と同様の観点から、変形形態［４］は、少なくとも、地紋の画像に係る画像形成動作として前記モノクロの画像形成動作を行うものである。これより、変形形態［４］は、少なくとも、地紋の画像形成に要する現像剤の消費量を低減する。
【０１１６】
また、その場合において、上記テキスト等の本来の原稿画像については、画像形成制御部３７が、ＡＣＳ処理部３５による判定結果に従って、カラーの画像形成動作を行うか、モノクロの画像形成動作を行えばよい。これによれば、上記テキスト等の本来の原稿画像については元の原稿通りの色で画像形成を行いつつ、地紋についてはその画像形成に要する現像剤の消費量を低減することができる。
【０１１７】
変形形態［５］
変形形態［５］は、前記変形形態［４］と同様に、ＡＣＳ処理部３５による判定結果の如何に拘らずに、地紋の画像に係る画像形成動作としてモノクロの画像形成動作を行うものとするが、この変形形態［５］は、このモノクロの画像形成時には、黒色の現像剤を用いたモノクロの画像形成に限定せず、黒色以外の単一の現像剤のみを用いたモノクロの画像形成動作を行うものである。
【０１１８】
変形形態［４］［５］によれば、以下の効果がある。
【０１１９】
たとえば、変形形態［３］では、原稿の画像が有彩色であり、且つ、地紋が黒色である場合にも、原稿の画像全体に係る画像形成動作としてモノクロの画像形成動作が行われる。すなわち、地紋の画像に係る画像形成動作に用いる現像剤の色を黒色に限定しないものとすると、変形形態［３］では、画像形成制御部３７は、地紋の画像の色が黒色であり原稿画像の色が有彩色、例えばマゼンタである原稿が複写対象である場合であっても、原稿の画像全体に係る画像形成動作として、一色の現像剤のみでモノクロの画像形成動作を実施することとなる。この場合、用紙に形成される地紋を含めた画像全体が色彩的に原稿の画像と比較的異なったものとなる可能性がある。
【０１２０】
これに対して、変形形態［４］［５］によれば、上記テキスト等の本来の原稿画像については元の原稿通りの色で画像形成を行いつつ、地紋についてはその画像形成に要する現像剤の消費量を低減することができる。
【０１２１】
変形形態［６］
ＡＣＳ処理部３５が搭載されている複合機１においては、前記第１の実施形態や変形形態［１］，［２］のように、有彩色の地紋が原稿に形成されているときに、ＡＣＳ処理により本来の原稿画像がカラー原稿であると判定された場合であっても前記モノクロの画像形成動作を実施するモードと、前記変形形態［３］〜［５］のように、地紋の色が黒色であるか有彩色であるかに関係なく、地紋が原稿に形成されているときに前記モノクロの画像形成動作を実施するモードとを複合機１に搭載し、これらのモードをユーザが選択できるようにした形態を、変形形態［６］としてもよい。
【０１２２】
変形形態［７］
変形形態［７］は、前記第１の実施形態や変形形態［１］〜［６］において、自動カラー判定モードによりテキスト等の元の原稿画像が黒色の現像剤で形成されており、地紋色判定部３６４により地紋が黒色と異なる有彩色で形成されている場合であって、元の原稿画像及び地紋についてモノクロの画像形成を行う場合に、当該元の原稿画像及び地紋のモノクロ画像形成を、黒色の現像剤に限定せずに、複合機１に用意されている他色の一色の現像剤、例えばＣＭＹの現像剤のうちいずれか１つの現像剤を用いて元の原稿画像及び地紋を形成するものである。この変形形態［７］によっても、前記第１の実施形態と同様に、現像剤の浪費を防止することができる。
【０１２３】
変形形態［８］
原稿がカラーの原稿であるか否かを判定するＡＣＳ処理は、前述した処理に限定されず、他の方法によりカラー判定を行う処理であってもよい。当該他の方法によりカラー判定を行う形態を変形形態［８］とする。
【０１２４】
変形形態［９］
前記第１の実施形態や前記変形形態［１］，［２］では、有彩色の地紋が検出された場合には、ＡＣＳ処理部３５による判定結果に関係なく原稿全体の画像の画像形成動作として前記モノクロの画像形成動作を実施した。ここで、本変形形態［９］は、このようなＡＣＳ処理部３５及び自動カラー判定モードを搭載せず、次のような現像剤抑制モードを有する複合機１にも適用されるものである。なお、以下の説明では、原稿として黒色の現像剤で形成された画像の背景領域に地紋が形成されている場合を想定する。
【０１２５】
前記現像剤抑制モードは、通常の画像形成動作よりも同一の画像データに基づく画像形成動作に要する現像剤の消費量を抑制して画像形成動作を実施するモードである。本変形形態［９］の複合機１においては、この現像剤抑制モードを備えることに伴い、前記モード切替操作部５１は、通常の動作モードと前記現像剤抑制モードとの間でモードの切替操作を行うためのものとして機能する。また、モード設定部３４は、該モード切替操作部５１から受信したモード情報に基づき、前記通常の動作モードと現像剤抑制モードとの間でモードの切替えを行うものとして機能する。
【０１２６】
このような構成において、本変形形態［９］の画像形成制御部３７は、前記モード設定部３４により現像剤抑制モードが設定されている場合であって、地紋色判定部３６４が、有彩色の地紋が原稿に形成されていることを検出したときに、原稿全体の画像の画像形成動作として前記モノクロの画像形成動作を実施する。
【０１２７】
図１２は、制御部３３による処理の他の変形形態を示すフローチャートである。
【０１２８】
図１２に示すように、画像形成制御部３７は、複合機１が現像剤抑制モードに設定されているか否かを判断する（ステップ♯２１）。画像形成制御部３７は、前記モード設定部３４により前記現像剤抑制モードが設定されていない、すなわち通常の動作モードに設定されていると判断すると（ステップ♯２１でＮＯ）、前記モード設定部３４により現在設定されている動作モード（カラーコピーモード又はモノクロコピーモード）で画像形成動作を画像形成部２に実施させる（ステップ♯２５）。
【０１２９】
一方、ステップ♯２１において、画像形成制御部３７は、前記モード設定部３４により現像剤抑制モードが設定されていると判断すると（ステップ♯２１でＹＥＳ）、前記地紋処理部３６により地紋が検出されたか否かを前記第１検出結果情報に基づいて判断する（ステップ♯２２）。
【０１３０】
画像形成制御部３７は、前記地紋処理部３６により地紋が検出されたと判断すると（ステップ♯２２でＹＥＳ）、有彩色の地紋が検出されたか否かを前記第２検出結果情報に基づき判断し（ステップ♯２３）、前記有彩色の地紋が検出されたと判断すると（ステップ♯２３でＹＥＳ）、原稿全体の画像の画像形成動作として画像形成部２に前記モノクロの画像形成動作を実施させる（ステップ♯２４）。
【０１３１】
一方、画像形成制御部３７は、ステップ♯２２で地紋が検出されなかったものと判断したとき（ステップ♯２２でＮＯ）、及び、ステップ♯２３で原稿に有彩色の地紋が形成されていない（地紋の色がモノクロの地紋である）と判断したとき（ステップ♯２３でＮＯ）には、前記モード設定部３４により現在設定されている動作モード（カラーコピーモード又はモノクロコピーモード）で画像形成動作を画像形成部２に実施させる（ステップ♯２５）。
【０１３２】
このような処理により、有彩色の地紋が検出されたときにカラーの画像形成動作を実施する場合に比して、現像剤の消費量を低減したり、現像剤の浪費を防止又は抑制したりすることができる。
【０１３３】
その際、現像剤抑制モードの設定は、現像剤の消費量を抑えたいというユーザの意思に基づいて行われるものであるから、原稿がカラー原稿であっても前記モノクロの画像形成動作を行うことに因ってユーザの心証を害することは殆どないと考えられる。よって、複合機１の利便性の低下を殆ど招くことなく、現像剤の消費量を低減することができる。
【０１３４】
変形形態［１０］
前記変形形態［９］においては、前記モード設定部３４により現像剤抑制モードが設定されている場合において、原稿画像の背景に有彩色の地紋が形成されているときは、原稿全体の画像に係る画像形成動作としてモノクロの画像形成動作を行うようにしたが、変形形態［１０］は、地紋処理部３６による検出結果に基づいて、当該検出結果が示す地紋部分の画像に係る画像形成動作を前記モノクロの画像形成動作とし、テキスト等の元原稿画像については、モード設定部３４により現在設定されている動作モード（カラーコピーモード又はモノクロコピーモード）で画像形成動作を画像形成部２に実施させるものである。このようにすれば、上記テキスト等の本来の原稿画像については元の原稿通りの色で画像形成を行いつつ、地紋についてはその画像形成に要する現像剤の消費量を低減することができる。
【０１３５】
前記変形形態［１０］のように、前記モード設定部３４により現像剤抑制モードが設定されている場合において、原稿画像の背景に有彩色の地紋が形成されているときは、地紋の画像に係る画像形成動作としてモノクロの画像形成動作を行うようにし、原稿画像に係る画像形成動作はその画像の色に準じた画像形成動作を行う形態を採用した場合、前記変形形態［９］と比較して、次のような利点がある。
【０１３６】
前記変形形態［９］では、原稿の画像が有彩色であり、且つ、地紋が黒色である場合にも、原稿の画像全体に係る画像形成動作としてモノクロの画像形成動作が行われる。すなわち、前記変形形態［９］では、画像形成制御部３７は、地紋の画像の色が黒色であり原稿画像の色が有彩色、例えばマゼンタである原稿が複写対象である場合であっても、原稿の画像全体に係る画像形成動作として、黒色の現像剤のみで前記モノクロの画像形成動作を実施したり、或いはマゼンタ等の一色の現像剤のみで前記モノクロの画像形成動作を実施したりすることとなる。この場合、用紙に形成される地紋を含めた画像全体が色彩的に原稿の画像と比較的大きく異なったものとなる可能性がある。
【０１３７】
これに対して、前記モード設定部３４により現像剤抑制モードが設定されている場合において、原稿画像の背景に有彩色の地紋が形成されているときは、地紋の画像に係る画像形成動作として単一の現像剤のみを用いたモノクロの画像形成動作を行うようにし、原稿画像に係る画像形成動作はその画像の色に準じた画像形成動作を行う変形形態［１０］では、地紋の画像を黒色で形成し、原稿画像を有彩色で形成することができる。これにより、できるだけ原稿に忠実な画像形成動作を行うことができるといえる。
【０１３８】
変形形態［１１］
前記変形形態［９］〜［１０］では、現像剤抑制モードが設定されている場合に、地紋処理部３６が地紋を検出した場合に地紋色判定部３６４がその地紋の色が有彩色であるか否かを検出し、一色の現像剤のみを使用したモノクロの画像形成動作を行うかカラーの画像形成動作を行うかをその検出結果に応じて画像形成制御部３７が決定する。これに対して、変形形態［１１］は、図１３に示すように、画像形成制御部３７は、地紋の色に関係なく、地紋が検出された場合には、原稿の画像全体に係る画像形成動作としてモノクロの画像形成動作を実施するものである。
【０１３９】
図１３は、この制御部３３による処理の別の変形形態を示すフローチャートである。
【０１４０】
図１３に示すように、画像形成制御部３７は、前記モード設定部３４により現像剤抑制モードに設定されているか否かを判断する（ステップ♯３１）。画像形成制御部３７は、前記モード設定部３４により複合機１が現像剤抑制モードに設定されていない、すなわち通常の動作モードに設定されていると判断すると（ステップ♯３１でＮＯ）、前記モード設定部３４により現在設定されている動作モード（カラーコピーモード又はモノクロコピーモード）で画像形成動作を画像形成部２に実施させる（ステップ♯３４）。
【０１４１】
一方、ステップ♯３１において、画像形成制御部３７は、前記モード設定部３４により現像剤抑制モードに設定されていると判断すると（ステップ♯３１でＹＥＳ）、前記地紋処理部３６により地紋が検出されたか否かを前記第１検出結果情報に基づき判断する（ステップ♯３２）。
【０１４２】
画像形成制御部３７は、前記地紋処理部３６により地紋が検出されたと判断すると（ステップ♯３２でＹＥＳ）、原稿全体の画像の画像形成動作として画像形成部２に前記モノクロの画像形成動作を実施させる（ステップ♯３３）。
【０１４３】
一方、画像形成制御部３７は、ステップ♯３２で地紋が検出されなかったものと判断したときには（ステップ♯２２でＮＯ）、前記モード設定部３４により現在設定されている動作モード（カラーコピーモード又はモノクロコピーモード）で画像形成動作を画像形成部２に実施させる（ステップ♯３４）。
【０１４４】
このような処理によっても、複合機１の利便性の低下を殆ど招くことなく、現像剤の消費量を低減することができる。
【０１４５】
また、本変形形態［１１］は、前記変形形態［９］〜［１０］のように、地紋の色を前記画像データに基づいて検出する地紋色判定部３６４を備えずに済み、その分、コストアップや処理の複雑化を抑制することができる。
【０１４６】
変形形態［１２］
前記変形形態［１１］は、前記モード設定部３４により現像剤抑制モードが設定されている場合において、原稿画像の背景に地紋が形成されているときに、原稿全体の画像に係る画像形成動作としてモノクロの画像形成動作を行うようにしたが、変形形態［１２］は、地紋の画像に係る画像形成動作として前記モノクロの画像形成動作を行い、上記テキスト等の本来の原稿画像については、画像形成制御部３７が、原稿読取部２０によって読み取られた原稿画像のデータが示すとおりに、カラーの画像形成動作を行うものである。これによれば、上記テキスト等の本来の原稿画像については元の原稿通りの色で画像形成を行いつつ、地紋についてはその画像形成に要する現像剤の消費量を低減することができる。
【０１４７】
前記変形形態［１２］のように、前記モード設定部３４により現像剤抑制モードが設定されている場合において、原稿画像の背景に地紋が形成されているときは、地紋の画像に係る画像形成動作としてモノクロの画像形成動作を行うようにし、原稿画像に係る画像形成動作はその画像の色に準じた画像形成動作を行う形態を想定した場合、前記変形形態［１１］と比較して、次のような利点がある。
【０１４８】
前記変形形態［１１］では、原稿の画像が有彩色であり、且つ、地紋が黒色である場合にも、原稿の画像全体に係る画像形成動作としてモノクロの画像形成動作が行われる。すなわち、前記変形形態［１１］では、画像形成制御部３７は、地紋の画像の色が黒色であり原稿画像の色が有彩色、例えばマゼンタである原稿が複写対象である場合であっても、原稿の画像全体に係る画像形成動作として、黒色の現像剤のみで前記モノクロの画像形成動作を実施したり、或いはマゼンタ等の一色の現像剤のみで前記モノクロの画像形成動作を実施したりすることとなる。この場合、用紙に形成される地紋を含めた画像全体が色彩的に原稿の画像と比較的大きく異なったものとなる可能性がある。
【０１４９】
これに対して、前記モード設定部３４により現像剤抑制モードが設定されている場合において、原稿画像の背景に有彩色の地紋が形成されているときは、地紋の画像に係る画像形成動作として単一の現像剤のみを用いたモノクロの画像形成動作を行うようにし、原稿画像に係る画像形成動作はその画像の色に準じた画像形成動作を行う変形形態［１０］では、地紋の画像を黒色で形成し、原稿画像を有彩色で形成することができる。これにより、できるだけ原稿に忠実な画像形成動作を行うことができるといえる。
【０１５０】
変形形態［１３］
変形形態［１３］は、前記変形形態［９］〜［１２］を更に変形し、有彩色の地紋が原稿に形成されているときに、前記モノクロの画像形成動作を実施するモードと、地紋の色が黒色であるか有彩色であるかに関係なく、地紋が原稿に形成されているときに前記モノクロの画像形成動作を実施するモードとを複合機１に搭載し、これらのモードをユーザが選択できるようにしたものである。
【０１５１】
変形形態［１４］
変形形態［１４］は、前記第１の実施形態や変形形態［９］〜［１３］において、自動カラー判定モードによりテキスト等の元の原稿画像が黒色の現像剤で形成されており、地紋色判定部３６４により地紋が黒色と異なる有彩色で形成されている場合であって、元の原稿画像及び地紋についてモノクロの画像形成を行う場合に、当該元の原稿画像及び地紋のモノクロ画像形成を、黒色の現像剤に限定せずに、複合機１に用意されている他色の一色の現像剤、例えばＣＭＹの現像剤のうちいずれか１つの現像剤を用いて元の原稿画像及び地紋を形成するものである。この変形形態［１４］によっても、現像剤の浪費を防止することができる。
【０１５２】
なお、本件の画像形成装置は、複合機に限定されず、複写機等も含まれる。
【符号の説明】
【０１５３】
１      複合機
２      画像形成部
３３    制御部
３４    モード設定部
３５    ＡＣＳ処理部
３６    地紋検出部
３７    画像形成制御部
５１    モード切替操作部
【図１】
2010206782.tif 000003
【図２】
2010206782.tif 000004
【図３】
2010206782.tif 000005
【図４】
2010206782.tif 000006
【図５】
2010206782.tif 000007
【図６】
2010206782.tif 000008
【図７】
2010206782.tif 000009
【図８】
2010206782.tif 000010
【図９】
2010206782.tif 000011
【図１０】
2010206782.tif 000012
【図１１】
2010206782.tif 000013
【図１２】
2010206782.tif 000014
【図１３】
2010206782.tif 000015